(57)【要約】【課題】選択的にユーザ処理を通信ネットワークにオフロードさせる技術を提供する。【解決手段】通信ネットワークは、ユーザ装置それぞれについてオフロード対象処理を通信ネットワークで行うか否かを示す設定情報を保持する保持手段と、前記設定情報が前記オフロード対象処理を前記通信ネットワークで行うと示しているユーザ装置が、前記オフロード対象処理を含むユーザ処理を実行すると、前記ユーザ処理の内の前記オフロード対象処理を実行する実行手段と、を備えている。【選択図】図３
2020043532.tif 000002
【特許請求の範囲】
【請求項１】
通信ネットワークであって、
ユーザ装置それぞれについてオフロード対象処理を前記通信ネットワークで行うか否かを示す設定情報を保持する保持手段と、
前記設定情報が前記オフロード対象処理を前記通信ネットワークで行うと示しているユーザ装置が、前記オフロード対象処理を含むユーザ処理を実行すると、前記ユーザ処理の内の前記オフロード対象処理を実行する実行手段と、
を備えていることを特徴とする通信ネットワーク。
【請求項２】
通信ネットワークであって、
ユーザ装置が、オフロード対象処理を含むユーザ処理の実行を行う際、前記ユーザ処理に含まれる前記オフロード対象処理を前記通信ネットワークで実行するか否かを当該ユーザ装置に問い合わせる問い合わせ手段と、
前記ユーザ装置が、前記オフロード対象処理を前記通信ネットワークで実行することを選択すると、前記オフロード対象処理を実行する実行手段と、
を備えていることを特徴とする通信ネットワーク。
【請求項３】
前記問い合わせ手段は、前記オフロード対象処理を前記通信ネットワークで実行するか否かを当該ユーザ装置に問い合わせる際、前記オフロード対象処理の処理量を判定するための判定情報を前記ユーザ装置に通知することを特徴とする請求項２に記載の通信ネットワーク。
【請求項４】
前記実行手段が前記オフロード対象処理を実行する前に、前記ユーザ装置に広告を視聴するかを選択させる選択手段をさらに備えており、
前記ユーザ装置が前記広告を視聴することを選択すると、前記ユーザ装置への前記広告の配信が完了した後に、前記実行手段は、前記オフロード対象処理を実行することを特徴とする請求項１から３のいずれか１項に記載の通信ネットワーク。
【請求項５】
前記ユーザ装置が前記広告を視聴することを選択すると、前記広告の配信が完了した後に前記実行手段が実行する前記オフロード対象処理に対する課金情報を前記広告の広告主に関連付けて記録する記録手段をさらに備えていることを特徴とする請求項４に記載の通信ネットワーク。
【請求項６】
前記ユーザ装置が前記広告を視聴しないことを選択すると、前記記録手段は、前記オフロード対象処理に対する課金情報を前記ユーザ装置のユーザに関連付けて記録することを特徴とする請求項５に記載の通信ネットワーク。
【請求項７】
前記広告は、前記ユーザ装置の位置に関連付けられていることを特徴とする請求項４から６のいずれか１項に記載の通信ネットワーク。
【請求項８】
前記オフロード対象処理は、動画の復号処理であり、
前記広告は、前記動画に関連付けられていることを特徴とする請求項４から６のいずれか１項に記載の通信ネットワーク。
【請求項９】
前記オフロード対象処理は、動画の復号処理であり、
前記実行手段は、前記動画の復号処理を実行すると、復号後の動画データを所定期間だけ保持することを特徴とする請求項１から８のいずれか１項に記載の通信ネットワーク。
【請求項１０】
通信ネットワークのユーザ装置であって、
オフロード対象処理を含むユーザ処理の実行を行う際、前記ユーザ処理に含まれる前記オフロード対象処理の処理量を判定するための判定情報を前記通信ネットワークから受信する受信手段と、
前記判定情報に基づき前記オフロード対象処理を前記通信ネットワークに実行させるか否かを判定する判定手段と、
前記判定手段による判定結果を前記通信ネットワークに通知する通知手段と、
を備えていることを特徴とするユーザ装置。
【請求項１１】
ユーザ装置の１つ以上のプロセッサで実行されると、前記ユーザ装置を請求項１０に記載のユーザ装置として動作させることを特徴とするプログラム。
【発明の詳細な説明】
【技術分野】
【０００１】
本発明は、通信ネットワークのユーザ装置が行うユーザ処理のうちの所定の処理を通信ネットワークにオフロードさせる技術に関する。
【背景技術】
【０００２】
非特許文献１は、移動通信ネットワークのエッジである基地局などにコンピューティングリソースやストレージを配備し、ユーザ装置に近い位置でサービス処理を行うモバイル・エッジ・コンピューティング（ＭＥＣ）を開示している。
【先行技術文献】
【特許文献】
【０００３】
【特許文献１】特表２００１−５０５６８３号公報
【非特許文献】
【０００４】
【非特許文献１】Ｙｕｎ  Ｃｈａｏ  Ｈｕ，ｅｔ  ａｌ．，"Ｍｏｂｉｌｅ  Ｅｄｇｅ  Ｃｏｍｐｕｔｉｎｇ  Ａ  ｋｅｙ  ｔｅｃｈｎｏｌｏｇｙ  ｔｏｗａｒｄｓ  ５Ｇ"，ＥＴＳＩ  Ｗｈｉｔｅ  Ｐａｐｅｒ  Ｎｏ．１１，２０１５年９月
【発明の概要】
【発明が解決しようとする課題】
【０００５】
移動通信ネットワークのユーザ装置（ＵＥ）における処理能力の増加により、例えば、４Ｋ／８Ｋ等の超高画質映像の復号・再生や、仮想現実（ＶＲ）映像の復号・再生が可能なＵＥが将来的に提供され得る。しかしながら、古い世代の処理能力の低いＵＥにおいては、移動通信ネットワークを介する超高画質映像の配信が行われたとしても、ＵＥにおける処理能力の不足によりこれらの超高画質映像を復号することは難しい。また、超高画質映像の復号・再生のための処理量は多く、よって、消費電力も大きくなる。したがって、たとえ、ＵＥが超高画質映像の復号・再生が可能な処理能力を有していたとしても、ユーザによっては、消費電力を節約するため、超高画質映像の復号をＵＥで行いたくないと考えるかもしれない。
【０００６】
この様に、本来はＵＥで行うユーザ処理の一部又は全部を、移動通信ネットワークの、例えば、ＭＥＣ装置で行わせる（オフロードする）ことができれば便利である。しかしながら、ＭＥＣ装置は、移動通信ネットワークが提供するサービスのために設けられたものであり、ユーザ処理を行わせるため設けられたものではない。このため、ＭＥＣ装置がユーザ処理に利用された場合、移動通信ネットワークを運用するオペレータは、ＭＥＣ装置の維持のために、その対価を取得する必要がある。しかしながら、対価が高額になると、ユーザにとっては使い難くなってしまう。また、ユーザ処理を移動通信ネットワークにオフロードさせることができたとしても、その利用に対する考え方はユーザによって様々である。
【０００７】
本発明は、選択的にユーザ処理を通信ネットワークにオフロードさせる技術を提供するものである。
【課題を解決するための手段】
【０００８】
本発明の一態様によると、通信ネットワークは、ユーザ装置それぞれについてオフロード対象処理を前記通信ネットワークで行うか否かを示す設定情報を保持する保持手段と、前記設定情報が前記オフロード対象処理を前記通信ネットワークで行うと示しているユーザ装置が、前記オフロード対象処理を含むユーザ処理を実行すると、前記ユーザ処理の内の前記オフロード対象処理を実行する実行手段と、を備えていることを特徴とする。
【発明の効果】
【０００９】
本発明によると、選択的にユーザ処理を通信ネットワークにオフロードさせることができる。
【図面の簡単な説明】
【００１０】
【図１】一実施形態によるシステム構成図。
【図２】一実施形態によるＭＥＣ装置が保持する情報を示す図。
【図３】一実施形態によるシーケンス図。
【図４】一実施形態によるシーケンス図。
【図５】一実施形態によるシーケンス図。
【図６】一実施形態によるシーケンス図。
【図７】一実施形態によるシーケンス図。
【図８】一実施形態によるシーケンス図。
【図９】一実施形態による移動通信ネットワークの構成図。
【図１０】一実施形態によるユーザ装置の構成図。
【発明を実施するための形態】
【００１１】
以下、本発明の例示的な実施形態について図面を参照して説明する。なお、以下の実施形態は例示であり、本発明を実施形態の内容に限定するものではない。また、以下の各図においては、実施形態の説明に必要ではない構成要素については図から省略する。
【００１２】
＜第一実施形態＞
図１は、本実施形態によるシステム構成図である。移動通信ネットワーク２は、ＭＥＣ装置２１と、管理サーバ装置２２と、広告配信サーバ装置２３と、を備えている。また、移動通信ネットワーク２は、インターネット３と接続し、インターネット３には、コンテンツ配信サーバ装置４が接続されている。ＵＥ１は、図示しない基地局装置を介してＭＥＣ装置２１と通信できる。なお、図１では、１つのＭＥＣ装置２１のみを表示しているが、移動通信ネットワーク２には、１つの基地局装置、又は、複数の隣接する基地局装置に対応させて、複数のＭＥＣ装置２１を設けることができる。
【００１３】
本実施形態において、ＭＥＣ装置２１は、図２に示す様にコンテンツと広告との関係を示す情報を保持している。図２によると、広告Ａは、コンテンツＡ及びＢに関連付けられ、広告Ｂは、コンテンツＣに関連付けられている。これは、広告Ａの広告主が、コンテンツＡ及びＢを指定し、広告Ｂの広告主が、コンテンツＣを指定したことを意味する。広告主は、移動通信ネットワーク２のオペレータに対して、自身の広告に関連付けるコンテンツを通知し、移動通信ネットワーク２のオペレータは、当該通知に基づき図２の情報を作成してＭＥＣ装置２１に格納しておく。また、広告主は、自身の広告（動画）を移動通信ネットワーク２のオペレータに任意の方法で提供する。広告は、広告配信サーバ装置２３に格納される。したがって、ＭＥＣ装置２１が図２に示す情報を保持てしていると、広告配信サーバ装置２３には、広告Ａ及び広告Ｂが格納されている。
【００１４】
本実施形態において、移動通信ネットワーク２は、本来であればユーザが行うユーザ処理である、動画の復号・再生（表示）処理の内の動画の復号処理をＭＥＣ装置２１で行わせることができる。なお、動画の復号処理をＭＥＣ装置２１で行わせるか否かは、ＵＥ毎の設定であり、この設定は、移動通信ネットワーク２の図示しないユーザの管理装置に格納されている。なお、本例において、ＵＥ１は、動画の復号処理をＭＥＣ装置２１に行わせると設定しているものとする。なお、ＵＥ１のユーザは、ＵＥ１によりユーザの管理装置に接続してこの設定を変更することができる。ＭＥＣ装置２１は、このユーザの管理装置の設定を参照することで、ＵＥ１に送信する動画については、自装置で復号処理を行わなければならないことを認識している。なお、ＭＥＣ装置２１は、ＵＥ１に送信する動画を復号した場合、例えば、特許文献１に記載されている様に、ディスプレイやプロジェクタに入力するのと同様の信号をＵＥ１に送信する。つまり、この場合、ＵＥ１は、プロジェクタやディスプレイと同様の機能ブロックとなる。
【００１５】
図３は、本実施形態による動画コンテンツ取得のシーケンス図である。なお、図３は、ＵＥ１のユーザがコンテンツＡを視聴する場合のシーケンスを示している。ＵＥ１は、Ｓ１でコンテンツＡを要求する信号をＭＥＣ装置２１に送信する。ＭＥＣ装置２１は、ＵＥ１に配信する動画については自装置で復号を行わなければならないことを認識している。この場合、ＭＥＣ装置２１は、図２に示す情報に基づき、ＵＥ１が要求したコンテンツＡに関連付けられている広告が存在するかを判定する。本例では、コンテンツＡに広告Ａが関連付けられている。ＵＥ１が要求したコンテンツＡに関連付けられている広告が存在する場合、ＭＥＣ装置２１は、Ｓ２でＵＥ１に対して広告を視聴するか否かを問い合わせる。図３の例では、ＵＥ１のユーザが広告の視聴を許諾したものとする。よって、ＵＥ１は、Ｓ３で、広告の視聴の許諾をＭＥＣ装置２１に通知する。ＵＥ１から広告視聴許諾を受信すると、ＭＥＣ装置２１は、Ｓ４で、広告配信サーバ装置２３に、コンテンツＡに関連付けられている広告Ａを要求し、広告配信サーバ装置２３は、Ｓ５で、ＭＥＣ装置２１に広告Ａを送信する。ＭＥＣ装置２１は、広告Ａの復号処理（図示せず）を行った後、広告ＡをＵＥ１に送信する。
【００１６】
広告ＡのＵＥ１への送信が完了すると、ＭＥＣ装置２１は、コンテンツＡを格納しているコンテンツ配信サーバ装置４にコンテンツＡを要求し、コンテンツ配信サーバ装置４は、その応答として、Ｓ７で、コンテンツＡをＭＥＣ装置２１に送信する。ＭＥＣ装置２１は、Ｓ８で、コンテンツＡの復号処理を行った後、Ｓ９で、コンテンツＡをＵＥ１に送信する。また、ＭＥＣ装置２１は、コンテンツＡ及び広告Ａの復号処理に使用したＭＥＣ装置２１のリソース量を管理サーバ装置２２に通知する。このリソース量は、広告Ａの広告主に対する課金に利用される。
【００１７】
図４は、図３と異なり、ＵＥ１のユーザが広告の視聴を拒否した場合のシーケンス図である。なお、各シーケンス図において、既に説明したのと同様の処理ステップについては、同じステップ番号を付与してその説明は省略する。本例において、ＵＥ１は、Ｓ２０で、広告の視聴の拒否をＭＥＣ装置２１に通知する。この場合、図３のＳ４及びＳ５は、省略され、Ｓ６〜Ｓ９が実行される。そして、コンテンツＡの送信が完了すると、ＭＥＣ装置２１は、Ｓ２１で、コンテンツＡの復号処理に使用したＭＥＣ装置２１のリソース量を管理サーバ装置２２に通知する。このリソース量は、ＵＥ１のユーザに対する課金に利用される。
【００１８】
図５は、ＵＥ１のユーザが広告に関連付けられていないコンテンツＤを視聴する場合のシーケンス図である。ＵＥ１は、Ｓ２２でコンテンツＤを要求する信号をＭＥＣ装置２１に送信する。ＭＥＣ装置２１は、ＵＥ１に配信する動画については自装置で復号を行わなければならないことを認識しているため、図２に示す情報に基づき、ＵＥ１が要求したコンテンツＤに関連付けられている広告が存在するかを判定する。本例では、コンテンツＤには広告が関連付けられていない。この場合、図３のＳ４及びＳ５は、省略され、Ｓ６〜Ｓ９が実行される。なお、コンテンツＤもコンテンツ配信サーバ４に格納されているものとする。そして、コンテンツＤの送信が完了すると、ＭＥＣ装置２１は、Ｓ２１で、コンテンツＤの復号処理に使用したＭＥＣ装置２１のリソース量を管理サーバ２２に通知する。このリソース量は、ＵＥ１のユーザに対する課金に利用される。
【００１９】
なお、ＵＥ１のユーザが、動画の復号処理をＭＥＣ装置２１に行わせない設定を行っている場合、ＭＥＣ装置２１は、ＵＥ１から要求されたコンテンツを、対応するコンテンツ配信サーバ装置から取得し、単に、ＵＥ１に転送する。この場合、ＭＥＣ装置２１の利用に対する課金は生じない。
【００２０】
以上、本実施形態によると、ＵＥ１のユーザは、動画の復号処理をＭＥＣ装置２１に行わせるか否かの設定を移動通信ネットワーク２に対して行うことができる。また、動画の復号処理をＭＥＣ装置２１に行わせる設定を行っており、要求した動画に関連付けられる広告が存在する場合、ＵＥ１は、当該広告を視聴するか否かを選択することができる。なお、広告を視聴すると、ＭＥＣ装置２１の利用料は広告主が負担し、広告を視聴しないと、ＭＥＣ装置２１の利用料はＵＥ１のユーザが負担する。
【００２１】
なお、本実施形態において、広告は、コンテンツと関連付けられているとしたが、本発明は、広告とコンテンツを関連付けることに限定されない。例えば、広告を地理的領域（例えば、都道府県）に関連付けることができる。そして、ＵＥ１が、コンテンツを要求した場合において、ＵＥ１の現在位置に対応する地理的領域に関連付けられた広告が存在すると、当該広告を視聴するか否かをＵＥ１のユーザに問い合わせる構成とすることができる。また、本実施形態では、図２に示す情報をＭＥＣ装置２１に格納するとしたが、図２に示す情報は、ＭＥＣ装置２１がアクセスできる任意の装置に格納する構成とすることもできる。また、本実施形態においては、移動通信ネットワーク２に広告配信サーバ装置２３を設けていた。しかしながら、広告を、インターネット３に接続する任意のサーバ装置に格納しておき、当該サーバ装置から広告を取得する構成とすることができる。この場合、例えば、図２の情報には、各広告について、広告の格納先を示す情報が追加される。
【００２２】
＜第二実施形態＞
続いて、第二実施形態について、第一実施形態との相違点を中心に説明する。第一実施形態において、移動通信ネットワーク２の図示しないユーザの管理装置には、ＵＥ１について、動画の復号処理をＭＥＣ装置２１に行わせるか否かの設定が予め行われていた。本実施形態では、動画の復号処理をＭＥＣ装置２１に行わせるか否かもＵＥ１のユーザに問い合わせる。
【００２３】
図６は、本実施形態による動画コンテンツ取得のシーケンス図である。ＵＥ１が、Ｓ１でコンテンツＡを要求する信号をＭＥＣ装置２１に送信すると、ＭＥＣ装置２１は、Ｓ３０で、ＭＥＣ装置２１の復号処理を利用するか否かを問い合わせる確認信号をＵＥ１に送信する。本例において、ＵＥ１のユーザは、ＭＥＣ装置２１の復号処理を利用することを選択したものとする。したがって、ＵＥ１は、Ｓ３１で、ＭＥＣ装置２１の復号処理の利用をＭＥＣ装置２１に通知する。ＵＥ１からＭＥＣ装置２１の復号処理の利用が通知されると、ＭＥＣ装置２１は、Ｓ２で広告を視聴するか否かをＵＥ１に問い合わせる。なお、本例では、ＵＥ１のユーザが広告の視聴を許諾したものとする。したがって、Ｓ２以降の処理は、図３と同様である。
【００２４】
なお、Ｓ３で、広告の視聴を許諾しない場合、Ｓ４及びＳ５は省略され、Ｓ６〜Ｓ９が実行される。また、課金は、ＵＥ１のユーザに対して行われる。
【００２５】
図７は、図６と異なり、ＵＥ１のユーザがＭＥＣ装置２１の復号処理を利用しないことを選択した場合のシーケンス図である。本例において、ＵＥ１は、Ｓ３２で、ＭＥＣ装置２１の復号処理を利用しないことをＭＥＣ装置２１に通知する。したがって、図６のＳ２〜Ｓ５の処理は省略され、Ｓ６〜Ｓ９が実行される。本例では、ＭＥＣ装置２１の復号処理を利用していないためＭＥＣ装置２１の復号処理の利用に対する課金は生じない。
【００２６】
図８は、ＵＥ１のユーザが広告に関連付けられていないコンテンツＤを視聴する場合のシーケンス図である。ＵＥ１が、Ｓ２２でコンテンツＤを要求する信号をＭＥＣ装置２１に送信すると、ＭＥＣ装置２１は、Ｓ３０で、ＭＥＣ装置２１の復号処理を利用するか否かを問い合わせる確認信号をＵＥ１に送信する。本例において、ＵＥ１のユーザは、ＭＥＣ装置２１の復号処理を利用することを選択したものとする。しかしながら、図６とは異なり、コンテンツＤに関連付けられる広告が存在しないため、図６のＳ２〜Ｓ５は省略され、Ｓ６〜Ｓ９が実行される。そして、ＭＥＣ装置２１の復号処理の利用は、ＵＥ１のユーザに課金される。なお、ＵＥ１のユーザがＭＥＣ装置２１の復号処理を利用しないことを選択する場合は、図７と同様の処理となる。
【００２７】
＜第三実施形態＞
第二実施形態において、移動通信ネットワーク２は、ＭＥＣ装置２１の復号処理を利用するか否かをＵＥ１のユーザに問い合わせていた。本実施形態では、ＵＥ１のユーザに選択させるのではなく、ＵＥ１が自律的に選択する。例えば、ＵＥ１でコンテンツの復号処理が可能であるか否かはＵＥ１の処理能力に依存する。したがって、本実施形態では、第二実施形態のＳ３０で、ＭＥＣ装置２１は、ユーザが要求したコンテンツの情報、例えば、コンテンツのフォーマットや適用されている符号化方式等の情報を通知する。ＵＥ１は、所定の基準に従い、自装置で復号するかＭＥＣ装置２１に復号させるかを判定し、判定結果をＭＥＣ装置２１に通知する。その他の処理は第二実施形態と同様である。
【００２８】
＜その他の実施形態＞
例えば、複数のユーザが、同じコンテンツを視聴する場合、その都度、当該コンテンツの復号をＭＥＣ装置２１に行わせるとＭＥＣ装置２１のリソースの利用効率が低くなる。したがって、ＭＥＣ装置２１は、コンテンツの復号処理を行うと、復号したコンテンツを所定期間、保持する。そして、保持している復号済のコンテンツが要求されると、ＭＥＣ装置２１は、当該復号済のコンテンツを送信することができる。例えば、複数のユーザが、同じコンテンツを要求し、当該複数のユーザの総てが当該コンテンツに関連付けられた広告を視聴したものとする。しかしながら、コンテンツの復号処理は１回であるため、広告主には、１回の復号処理の利用料のみを課金する構成とすることができる。
【００２９】
また、第一実施形態から第三実施形態において、ＭＥＣ装置２１に行わせるユーザ処理を動画の復号処理としていたが、本発明において、ＭＥＣ装置２１に行わせるユーザ処理は動画の復号処理に限定されない。例えば、現在のＵＥには、パーソナルアシスタント機能が実装されているが、ユーザの音声を解析し、その意味内容を判定し、所定の処理を実行するため、ＵＥの処理負荷は高い。したがって、ＵＥは、ユーザの音声信号をのみをＭＥＣ装置２１に送信し、ＭＥＣ装置２１で、音声信号の解析、その意味内容の判定、判定した意味内容に沿った処理を実行し、その結果のみをＵＥに返送することが考えられる。この場合、例えば、ＵＥ１のユーザが、パーソナルアシスタント機能を実行するアプリケーションを起動すると、ＵＥ１がＭＥＣ装置２１に接続する様に構成し、ＭＥＣ装置２１が、ＵＥ１に対して広告を視聴するかや、ＭＥＣ装置２１に処理を行わせるかをＵＥ１に問い合わせる構成とすることができる。
【００３０】
さらに、ユーザ処理の一部の処理を移動通信ネットワーク２のＭＥＣ装置２１にオフロードする実施形態について説明したが、例えば、無線ＬＡＮ（ローカルエリアネットワーク）を介して、インターネット３に接続する構成においても本発明を適用することができる。つまり、本発明において、ユーザ処理のオフロード先は、移動通信ネットワーク２に限定されず、有線又は無線によりアクセスされる任意の通信ネットワークとすることができる。また、ユーザ処理を実行する装置は、ＭＥＣ装置２１に限定されない。
【００３１】
＜移動通信ネットワークの構成図＞
図９は、上記各実施形態に関する移動通信ネットワーク２の構成図である。保持部２０１は、各ＵＥに対する設定情報を保持する。第一実施形態の場合、設定情報は、ＵＥそれぞれについてオフロード対象処理を移動通信ネットワークで行うか否かの情報を含む。なお、オフロード対象処理とは、移動通信ネットワーク２が行うことができるユーザ処理である。実行部２０２は、例えば、ＭＥＣ装置２１であり、オフロード対象処理を実行する。なお、オフロード対象処理が動画の復号処理であると、実行部２０２は、復号したデータを所定期間の間、保持しておくことができる。また、第二実施形態の場合、移動通信ネットワーク２には、問い合わせ部２０３が設けられる。問い合わせ部２０３は、オフロード対象処理を含むユーザ処理をＵＥが実行する際、当該ユーザ処理に含まれるオフロード対象処理を移動通信ネットワーク２にオフロードするかをＵＥに問い合わせる。なお、第三実施形態の場合、問い合わせ部２０３は、問い合わせの際、オフロード対象処理の処理量を判定するための判定情報、例えば、オフロード対象処理が動画の復号処理であると、動画のフォーマット等の情報をＵＥに通知する。
【００３２】
選択部２０４は、実行部２０２がオフロード対象処理を実行する前に、ＵＥに広告を視聴するかを選択させる。なお、実行部２０２は、ＵＥが広告を視聴することを選択すると、ＵＥのユーザが広告を視聴した後、つまり、広告の総ての配信が完了した後に、オフロード対象処理を実行する。記録部２０５は、ＵＥが広告を視聴することを選択すると、実行したオフロード対象処理に対する課金情報を当該広告の広告主に関連付けて記録する。一方、記録部２０５は、ＵＥが広告を視聴しないことを選択すると、実行したオフロード対象処理に対する課金情報を当該ＵＥのユーザに関連付けて記録する。また、記録部２０５は、配信すべき広告が無い場合、実行したオフロード対象処理に対する課金情報を当該ＵＥのユーザに関連付けて記録する。
【００３３】
＜ユーザ装置の構成図＞
図１０は、第三実施形態に関するＵＥ１の構成図である。受信部１０１は、オフロード対象処理を含むユーザ処理の実行を行う際、当該オフロード対象処理の処理量を判定するための判定情報を移動通信ネットワーク２から受信する。判定部１０２は、判定情報に基づきオフロード対象処理を移動通信ネットワークに実行させるか否かを判定する。通知部１０３は、判定部１０２による判定結果を移動通信ネットワーク２に通知する。
【００３４】
また、本発明は、ユーザ装置の１つ以上のプロセッサで実行されると当該ユーザ装置を上記ＵＥ１として動作させるコンピュータプログラムにより実現することができる。これらコンピュータプログラムは、コンピュータが読み取り可能な記憶媒体に記憶されて、又は、ネットワーク経由で配布が可能なものである。
【符号の説明】
【００３５】
２０１：保持部、２０２：実行部、２０３：問い合わせ部、２０４：選択部、２０５：記録部
【図１】
2020043532.tif 000003
【図２】
2020043532.tif 000004
【図３】
2020043532.tif 000005
【図４】
2020043532.tif 000006
【図５】
2020043532.tif 000007
【図６】
2020043532.tif 000008
【図７】
2020043532.tif 000009
【図８】
2020043532.tif 000010
【図９】
2020043532.tif 000011
【図１０】
2020043532.tif 000012